(57)【要約】【課題】  従来の、特色を有する色材に対応する色分解データの生成方法は、基本色の色相の低明度域においては、充分な色域の拡大効果が得られない。【解決手段】  基本色の色材に相当する色相における、当該色材が再現可能な最高彩度に対応する明度から最高明度の高明度域は、当該色材に対応する色分解データを生成する。そして、高明度域よりも低明度の中間明度域は、基本色の色材と、その色材に近い色相を有する二つの色材（一方が特色の色材が好ましい）に対応する色分解データを生成する。【選択図】  図4
2007060151.tif 000002
【特許請求の範囲】
【請求項１】
基本色および一色以上の特色を含む色材に対応する色分解データを生成する色処理方法であって、
前記基本色の色材に相当する色相における、当該色材が再現可能な最高彩度に対応する明度から最高明度の高明度域は、当該色材に対応する前記色分解データを生成し、
前記高明度域よりも低明度の中間明度域は、前記基本色の色材と、前記色材に近い色相を有する二つの色材に対応する前記色分解データを生成することを特徴とする色処理方法。
【請求項２】
さらに、墨色の色材を有し、前記二つの色材の混色が再現可能な最高彩度に対応する明度以下の、前記中間明度域よりも低明度の低明度域は、前記二つの色材と前記墨色の色材に対応する前記色分解データを生成することを特徴とする請求項1に記載された色処理方法。
【請求項３】
前記低明度域における前記色分解データの生成は、明度の低下とともに、前記二つの色材の使用量を減少し、前記墨色の色材の使用量を増加することを特徴とする請求項2に記載された色処理方法。
【請求項４】
前記高明度域における前記色分解データの生成は、明度の低下とともに、当該色材の使用量を増加することを特徴とする請求項1から請求項3の何れかに記載された色処理方法。
【請求項５】
前記中間明度域における前記色分解データの生成は、前記色材の総使用量の制限に達するまでは、明度の低下とともに、前記基本色の色材の使用量を最大として前記二つの色材の使用量を増加し、
前記制限に達した後は、前記明度の低下とともに、前記基本色の色材の使用量を減少し、前記二つの色材の使用量を増加することを特徴とする請求項1から請求項4の何れかに記載された色処理方法。
【請求項６】
前記特色の色材は、前記基本色のうちの二つの混色により表現する、前記特色の色相に近い色相の二次色よりも、高い明度を表現することを特徴とする請求項1から請求項5の何れかに記載された色処理方法。
【請求項７】
前記特色の色材は、前記二次色よりも、高い彩度を表現することを特徴とする請求項6に記載された色処理方法。
【請求項８】
色データを入力する入力手段と、
前記色データを、基本色および一色以上の特色を含む色材に対応する色分解データに変換する変換手段とを有し、
前記変換手段は、前記基本色の色材に相当する色相における、当該色材が再現可能な最高彩度に対応する明度から最高明度の高明度域は、当該色材に対応する前記色分解データを生成し、前記高明度域よりも低明度の中間明度域は、前記基本色の色材と、前記色材に近い色相を有する二つの色材に対応する前記色分解データを生成することを特徴とする色処理装置。
【請求項９】
画像処理装置を制御して、請求項1から請求項7の何れかに記載された色処理を実行することを特徴とするプログラム。
【請求項１０】
請求項9に記載されたプログラムが記録されたことを特徴とする記録媒体。
【発明の詳細な説明】
【技術分野】
【０００１】
本発明は、特色を含む色材の色分解データを生成する色処理に関する。
【背景技術】
【０００２】
記録装置が用いる記録剤が例えばシアンC、マゼンタM、イエローY、ブラックKのインクやトナーの場合、印刷データを生成する画像処理はRGB画像データを各記録剤に対応するC、M、Y、Kデータに色分解する。この色分解は、通常、ルックアップテーブル(LUT)を用いて行う。つまり、このLUTは、R、G、Bデータの組み合わせに対して、どのように記録剤を組み合わせるかを示すC、M、Y、Ｋデータの生成方法を定義する。
【０００３】
さらに、インクやトナーを用いる印刷分野では、記録装置が再現可能な色域の拡大、例えば、より高い彩度の再現を目的として特色を用いる場合がある。これは、通常用いるシアン、マゼンタ、イエロー（所謂基本色）とブラックに加え、レッド、オレンジ、グリーン、ブルー、バイオレットなどの記録剤を用いることである。
【０００４】
特開2001-136401公報は、色域をブラックおよび有彩色三色の組み合わせによるサブ色域に分割し、各サブ色域から色の組み合わせを抽出することで色分解する技術を開示する。しかし、この技術は、四色の組み合わせのサブ色域から色の組み合わせを抽出するため、組み合わせが四色以下かつサブ色域の作成時に規定した組み合わせに限定され、全色域について最適な色分解を得ることは不可能である。また、サブ色域同士の境界において階調性を損う問題もある。
【０００５】
特開2003-011432公報は、特色の色相で特色を用いると、ある明度領域において基本色の組み合わせよりも彩度が下がる場合、特色と基本色の双方を用いて色分解を行うことを開示する。例えば高明度のグリーンインクを使用する場合、グリーンの色相の低明度部でシアンとイエローの組み合わせを用いて色域を拡大する。しかし、この手法は、特色の色相における色域の拡大を可能とする一方、基本色の色相の色域を拡大するには至らない。
【０００６】
特開2005-059360公報は、基本色の色相の低明度部に特色の補色を用いることで、基本色の色相における色域を拡大する技術を開示する。しかし、この技術は、特色の高い明度と彩度に着目したもので、充分に色域を拡大しているとは言えない。また、特色の補色の使用は粒状性の観点からも好適とは言えない。
【０００７】
【特許文献１】特開2001-136401公報
【特許文献２】特開2003-011432公報
【特許文献３】特開2005-059360公報
【発明の開示】
【発明が解決しようとする課題】
【０００８】
発明者は、特色の色材の高い明度と彩度に着目するのみならず、色材の分光特性を有効に利用することで、再現可能な色域の拡大を試みた。
【０００９】
本発明は、色材によって再現可能な色域を拡大することを目的とする。
【課題を解決するための手段】
【００１０】
本発明は、前記の目的を達成する一手段として、以下の構成を備える。
【００１１】
本発明にかかる色処理は、基本色および一色以上の特色を含む色材に対応する色分解データを生成する際に、前記基本色の色材に相当する色相における、当該色材が再現可能な最高彩度に対応する明度から最高明度の高明度域は、当該色材に対応する前記色分解データを生成し、前記高明度域よりも低明度の中間明度域は、前記基本色の色材と、前記色材に近い色相を有する二つの色材に対応する前記色分解データを生成することを特徴とする。
【発明の効果】
【００１２】
本発明によれば、色材の分光特性を考慮して色材を組み合わせることで、色材によって再現可能な色域を拡大することができる。
【発明を実施するための最良の形態】
【００１３】
以下、本発明にかかる実施例の画像処理を図面を参照して詳細に説明する。
【実施例１】
【００１４】
［特色の利用］
まず、特色の一例としてグリーンやブルーを取り上げ、特色の記録剤をどのように用いるかを説明する。つまり、LUTの格子点に、グリーンやブルーの記録剤に対応する色分解データをどのように設定し、その結果、どのように色域が拡大されるかを説明する。
【００１５】
図1は混色による色再現範囲をLch表色系で示す図である。図1において、破線は、シアンCと墨（ブラックK）の記録剤を混色した場合のシアンの色再現範囲を示す。一点鎖線は、グリーンG、ブルーBおよび墨Kを混色した場合のシアンの色再現範囲を示す。また、実線は、シアンC、グリーンG、ブルーBおよび墨Kを混色した場合のシアンの色再現範囲を示す。
【００１６】
図2は単体の記録剤で形成した画像および混色画像の分光反射率特性を示す図で、記録剤単体の画像の分光反射率特性としてシアンC、グリーンG、ブルーBの三色を示す。また、混色画像の分光反射率としてグリーンGとブルーB、シアンCと墨Kのインクを所定割合で混色した場合を示す。
【００１７】
図2に示すように、特色のグリーンGとブルーBの混色は、シアンCと墨Kの混色に比較してシャープな分光特性が得られ、シアンの色相の低明度域においても高い彩度をもつ色の再現が可能になる。一方、図1に実線および破線で示すように、高明度域では、シアンCを用いる方が高彩度を得られる。また、図1に一点鎖線で示すように、低明度域では、グリーンG、ブルーBおよび墨Kの混色の方が低彩度を得られる。この関係は、明度域ごとに、どのように基本色、特色、墨の組み合わせを使用すればより広い色再現範囲が得られるかを示唆する。
【００１８】
図3は、シアンの色相に関して、より広い色再現範囲を得る基本色、特色、墨の組み合わせを明度域ごとに示す図である。図3に示す組み合わせに従えば、シアンの色相において、より広い色再現範囲が得られ、明度全体に亘って高彩度かつ高画質が得られる。
【００１９】
なお、本発明の本質は、色相および明度域ごとに、適切な記録剤の組み合わせにより色域を拡大することにある。つまり、図3に示す組み合わせは一例であり、色域または他の画質要素を向上するために、図3には示さない記録材を使用する場合も本発明の範疇に含まれる。
【００２０】
図4はシアンC、グリーンG、ブルーBおよび墨Kの各記録剤の使用量を示す図である。縦軸は、記録剤の使用量（例えばインク打ち込み量）に相当する8ビットの信号レベルを示す。言い換えれば、図4は、RGBデータをCMYKRGBデータに色変換するためのテーブルの一部を示している。
【００２１】
まず、白W(R, G, B)=(255, 255, 255)からシアンC(R, G, B)=(0, 255, 255)の高明度域は、シアンCの記録剤のみを使用し、その使用量を変えて色再現する。高明度域は、白WからシアンCの記録剤によって得られる最高彩度までの明度域である。従って、純色のシアンC(R, G, B)=(0, 255, 255)はシアンCの記録剤のみで色再現する（高明度域）。
【００２２】
次に、シアンC(R, G, B)=(0, 255, 255)からブラックK(R, G, B)=(0, 0, 0)の明度域は、まず、シアンCの隣接色であるブルーBおよびグリーンGの記録剤を加えて明度を低下させ、色再現する（第一の中間明度域）。そして、記録剤の総使用量が制限値に達すると（符号401で示す）、シアンCの記録剤の使用量を減じて、ブルーBおよびグリーンGの記録剤の使用量を増加する（第二の中間明度域）。
【００２３】
さらに、グリーンGおよびブルーBの混色が再現可能な最高彩度に達すると（符号402で示す）、シアンCに代えて墨Kを加え、さらに明度を低下させてブラックKの近傍を色再現する（低明度域）。
【００２４】
このように、低明度域において、隣接色である特色二色（上記の例ではシアンCの隣接色であるブルーBとグリーンG）を同時に使用することで、色域を彩度および明度方向に拡大することができる。
【００２５】
なお、上記では、シアンCの色相におけるグリーンGとブルーBを用いる色域拡大を説明したが、他の基本色の色相、および、レッドRの記録剤にも同様に適用可能である。すなわち、特色の任意の二色の組み合わせが、基本色の記録剤よりも低明度、高彩度の色を表現可能な場合は、上記の明度域ごとの記録剤の組み合わせを適用して、色域を拡大することができる。
【００２６】
また、隣接色の一方が基本色の場合も、基本色の記録剤よりも低明度、高彩度の色を表現可能であれば、上記の明度域ごとの記録剤の組み合わせを適用して、色域を拡大することができる。例えば、ブルーBの記録剤を搭載しないプリンタにおいて、シアンCの色相の低明度部の色域をグリーンGとマゼンタMを組み合わせて拡大することができる。同様に、グリーンGの記録剤を搭載しないプリンタにおいて、シアンCの色相の低明度部の色域をイエローYとブルーBを組み合わせて拡大することができる。
【００２７】
なお、上記の「特色」は、記録剤の基本色であるイエローY、マゼンタM、シアンCの色相とは異なる色相の色を指す。また、特色の記録剤が記録媒体上で表現可能な明度、彩度は、マゼンタM、イエローY、シアンCの基本色の記録剤のうちの二つの記録剤の組み合わせによって記録媒体上に表現可能な明度、彩度よりも高いことが好ましい。
【００２８】
［プリントシステムの概要］
図5は実施例のプリントシステムの構成例を示すブロック図で、特色インクを用いるプリンタ102と、ホスト装置（コンピュータまたは画像処理装置）101を備える。
【００２９】
プリンタ（記録装置）102は、シアンC、マゼンタM、イエローY、ブラックKのインクと、レッドR、グリーンG、ブルーBの特色インクによって印刷を行う。そのため、これら七色のインクを吐出する記録ヘッド10を用いる。
【００３０】
ホスト装置101のオペレーティングシステム(OS)上では、アプリケーションプログラム1やプリンタドライバ11が稼働する。アプリケーションプログラム1は、プリンタ102で印刷すべき画像データを作成、編集する。
【００３１】
画像データまたは編集前の画像データは、種々の媒体を介して、ホスト装置101に入力することができる。例えば、ディジタルカメラで撮像したJPEG形式の画像データをメモリカードを介して入力してもよいし、スキャナで読み取ったTIFF形式の画像データや、CDROMに記録された画像データを入力してもよい。勿論、インターネットなどのネットワーク上に配置されたサーバやWebサイトからダウンロードしてもよい。ホスト装置101は、入力した画像データを図示しないモニタに表示する。ホスト装置101のユーザは、アプリケーションプログラム1によって、画像データを編集、加工して、印刷を指示する。この指示に応じて、アプリケーションプログラム1（またはOS）は、画像データを例えばsRGB規格の画像データ（各色8ビット）にしてプリンタドライバ11に渡す。
【００３２】
プリンタドライバ11は、入力された画像データに前段処理2として色域マッピングを施す。つまり、前段処理2は、sRGB規格の画像データによって再現される色域と、プリンタ102が再現可能な色域（プリンタ色域）の関係を示す三次元LUT(3DLUT)、および、補間演算を用いてRGBデータをプリンタ色域のRGBデータに変換する。
【００３３】
後段処理3は、色域マッピングされたRGBデータが表す色を再現する、インクの組み合わせに対応する色分解データYMCKRGB（各色8ビット）を求める。この処理は、前段処理2と同様に、3DLUTと補間演算を併用して行う。なお、後段処理3の詳細は後述する。
【００３４】
ガンマ補正4は、後段処理3によって得られた色分解データの各色データごとに、その階調値を変換するガンマ補正を行う。具体的には、プリンタ102の各色インクの階調特性に応じた一次元LUT(1DLUT)を用いて、色分解データをプリンタ102の階調特性に対応付ける変換を行う。
【００３５】
ハーフトーニング5は、各色8ビットの色分解データYMCKRGBそれぞれを、誤差拡散法を用いて4ビットのデータに変換する量子化を行う。この4ビットデータは、プリンタ102において、ドットの配置パターンを示すためのインデックスになる。
【００３６】
そして、印刷データ生成6は、4ビットのインデックスデータに、印刷制御情報を加えた印刷データを作成する。
【００３７】
なお、上述したアプリケーションプログラム1およびプリンタドライバ11の処理は、それらのプログラムをCPUが実行することで実現される。当該プログラムは、図示しないROMやハードディスクなどからRAMにロードされて実行される。その実行に際してRAMは、CPU のワークエリアとして用いられる。
【００３８】
一方、プリンタ102は、ホスト装置101から入力される印刷データにドット配置パターン化処理7およびマスクデータ変換処理8を施す。
【００３９】
ドット配置パターン化処理7は、実際の印刷画像の画素ごとに、4ビットのインデックスデータ（階調値情報）に対応するドット配置パターンに従いドット配置を行う。つまり、4ビットデータで表現される各画素に、その画素の階調値に対応するドット配置パターンを割り当て、画素内の複数のエリアそれぞれのドットのオンオフを定義して、各エリアごとに‘1’または‘0’の吐出データを配置する。
【００４０】
マスクデータ変換処理8は、上記の1ビットの吐出データにマスク処理を施す。すなわち、記録ヘッド10による副走査方向に所定幅の走査領域（以下「バンド」と呼ぶ）の記録を、複数回の走査で完成するための各走査の吐出データを、それぞれの走査に対応したマスクを用いた処理によって生成する。走査ごとの吐出データY、M、C、K、R、G、Bを適切なタイミングでヘッド駆動回路9に送る。ヘッド駆動回路9は、吐出データに従い各インクを吐出するように、記録へッド10を駆動する。
【００４１】
なお、プリンタ102における上述のドット配置パターン化処理、マスクデータ変換処理は、専用のハードウェア回路を用いて、プリンタ102の制御部を構成するCPUの制御の下に実行される。なお、プリンタ102のCPUが、プログラムに従い、上記の処理を行ってもよいし、ホスト装置101の例えばプリンタドライバ11が上記の処理を行ってもよい。
【００４２】
なお、プリンタ102は、特色インクとしてレッドR、グリーンG、ブルーBを用いる。これら特色インクは、基本色インクであるイエローY、マゼンタM、シアンCのうちの二つの混色で作られる二次色よりも、高い彩度および明度を表現できることが好ましい。しかし、これに限定されず、少なくとも二次色よりも高い明度を表現できればよい。すなわち、本実施例に好適な「特色」は、マゼンタM、イエローY、シアンCの基本色の記録剤のうちの任意の二つの記録剤の組み合わせにより、記録媒体上に表現される色域よりも明度が高く、かつ、前記色域内の色相角を示す色である。さらに、前記色域よりも高い彩度を表現できる色であればなお好ましい。
【００４３】
また、記録剤としてインクを用いるプリンタを例に説明するが、トナーなど他の記録剤を用いるプリンタ、複写機などに対しても本実施例を適用することができる。
【００４４】
また、「画素」は、階調表現が可能な最小単位のことであり、多値データの画像処理、上記の前段処理、後段処理、ガンマ補正、ハーフトーニングなどの対象になる最小単位である。また、ドット配置パターン化処理における一画素は2×4升のパターンに対応し、この一画素内の各升をエリアと呼ぶ。そして、エリアはドットのオンオフが定義可能な最小単位である。
【００４５】
これに関連して、前段処理、後段処理、ガンマ補正における「画像データ」は、処理対象である画素の集合を表し、各画素は例えば8ビットの階調値を内容とするデータである。また、ハーフトーニングにおける「画素データ」は処理対象である画素データそのものを表し、ハーフトーニングによって、上記の8ビットの画素データは4ビットの階調値を内容とする画素データ（インデックスデータ）に変換される。
【００４６】
［後段処理］
図6は後段処理3が使用する3DLUTの概念を示す図である。
【００４７】
後段処理3は、前述したように、RGB空間をスライスして構成した図6に示す3DLUTの、入力RGB値に対する格子点のCMYKRGBデータを読み出し、補間処理して、入力RGBデータを色分解データCMYKRGBに変換する処理である。
【００４８】
3DLUTの各格子点には、図4に示す特性を実現する色分解データを格納する。これにより、所望する階調値ないし色域を実現することができる。
【００４９】
例えば、図4と同様に、シアンの色相に注目すれば、図6に示す白Wの格子点(255, 255, 255)からシアンCの格子点(0, 255, 255)に向かう線分上の格子点に、YMCKRGB=(0, 0, c, 0, 0, 0, 0)、0≦c≦255のデータを配置する（高明度域）。さらに、シアンC(0, 255, 255)からブラックKに向かう線分上の格子点に、まず、シアンC、ブルーBおよびグリーンGの混色を表現するYMCKRGB=(0, 0, 255, 0, 0, g, b)、0≦g＜255、0≦b＜255のデータを配置する（第一の中間明度域）。
【００５０】
そして、図4に符号401で示すインクの総打ち込み量の制限値に達した格子点以降には、YMCKRGB=(0, 0, c, 0, 0, g, b)、0≦c＜255、0＜g＜255、0＜b＜255のデータを配置する（第二の中間明度域）。そして、図4に符号402で示すグリーンGおよびブルーBの混色によって再現可能な最低明度に達した格子点以降には、YMCKRGB=(0, 0, 0, k, 0, g, b)、0≦k≦255、0≦g＜255、0≦b＜255のデータを配置する（低明度域）。
【００５１】
他の色相Y、M、R、G、Bについても同様に各格子点にデータを配置すればよい。また、Y、M、C、R、G、B以外の、図6では単純に示せない色相についても、同様にデータを配置することができる。
【００５２】
すなわち、3DLUTが示す変換関係は、本実施例の色分解データの生成における実施内容を表す。勿論、色分解データの生成は、図6に示すような3DLUTを用いる形態には限らない。例えば、入力RGBデータに対して、上記の変換関係を表す式に従い演算を、その都度行い、色分解データを計算する形態でもよい。
【００５３】
また、図5に示す処理を実行するホスト装置101は、コンピュータに限られず、例えばプリンタ102が、ホスト装置101の各処理を実行してもよい。
【００５４】
このように、一色以上の特色を含む色材に対応する色分解データを生成する際、基本色の色相の最大彩度部より低明度側について、基本色の色材と、その両側で最も近い色相を有し、少なくとも一方が特色の第二、第三の色材に対応する色分解データを生成する。こうすれば、基本色と、隣接する色相の特色の第二の色材、他方の隣接色の第三の色材を混色して基本色の色相に調整することで、低明度域において高い彩度をもつ色の再現が可能になる。つまり、この色材の組み合わせを基本色の色相の最大彩度部より低明度域で用いれば、色域を彩度、明度方向に拡張することができる。なお、隣接色とは、注目する色相の両側で、最も近い色相をもつ色材の色である。ただし、濃シアンや淡シアンのように、同一の色相とみなせるものは隣接色には含めない。
【００５５】
第二、第三の色材の双方が特色であれば、特色同士の混色により、基本色の色相の低明度部において、より彩度の高い色を再現することが可能になる。
【００５６】
さらに、墨の色材を組み合わせた色分解データを生成すれば、より明度の低い領域において色域を拡大することが可能になる。さらに、濃度が異なる墨の色材を使用して、濃淡分解により画質を向上させることも好適である。
【００５７】
第二、第三の色材を所定割合で混色して基本色の色相に調整した場合、基本色の色相を示すLC平面において、第二、第三の色材の混色は、基本色の色材と墨または補色の混色により表現可能な色域に対し、より低明度、高彩度側の点を表現することができる。つまり、基本色の色相において、色相が隣接する二色の混色により、基本色および墨の色材の混色より、低明度において高い彩度が得られる色材の組み合わせを選択することができる。従って、より高い、色域の拡大効果を得ることができる。
【００５８】
基本色の色相について、基本色の色材により表現できる最大彩度部分より高明度域は、基本色の色材を用いて色再現する。そして、第二、第三の色材の混色により表現できる最大彩度部分より低明度の中間明度域は、基本色、第二、第三の色材の混色を用いて色再現する。さらに、低明度域は、第二、第三の色材、墨または補色の色材の混色を用いて色再現する。この場合、基本色の色材による最大彩度部と、第二、第三の色材による最大彩度部を境界として、組み合わせる色材を上記のように決定することで、各明度域において、より高い彩度を得ることができる。
【００５９】
さらに、基本色、第二、第三の色材の少なくとも一つについて、同色相で濃度が異なる二つ以上の色材を用意し、それらに対応する色分解データを生成することも好適である。こうすれば、基本色、第二、または、第三の色材について濃淡分解を行うことができ、より粒状感を低減することができる。
【００６０】
［他の実施例］
なお、本発明は、複数の機器（例えばホストコンピュータ、インタフェイス機器、リーダ、プリンタなど）から構成されるシステムに適用しても、一つの機器からなる装置（例えば、複写機、ファクシミリ装置など）に適用してもよい。
【００６１】
また、本発明の目的は、上記実施例の機能を実現するソフトウェアを記録した記憶媒体（記録媒体）をシステムまたは装置に供給し、そのシステムまたは装置のコンピュータ（CPUやMPU）が前記ソフトウェアを実行することでも達成される。この場合、記憶媒体から読み出されたソフトウェア自体が上記実施例の機能を実現することになり、そのソフトウェアを記憶した記憶媒体は本発明を構成する。
【００６２】
また、前記ソフトウェアの実行により上記機能が実現されるだけでなく、そのソフトウェアの指示により、コンピュータ上で稼働するオペレーティングシステム(OS)などが実際の処理の一部または全部を行い、それによって上記機能が実現される場合も含む。
【００６３】
また、前記ソフトウェアがコンピュータに接続された機能拡張カードやユニットのメモリに書き込まれ、そのソフトウェアの指示により、前記カードやユニットのCPUなどが実際の処理の一部または全部を行い、それによって上記機能が実現される場合も含む。
【００６４】
本発明を前記記憶媒体に適用する場合、その記憶媒体には、先に説明したフローチャートに対応するソフトウェアが格納される。
【図面の簡単な説明】
【００６５】
【図１】混色による色再現範囲をLch表色系で示す図、
【図２】単体の記録剤で形成した画像および混色画像の分光反射率特性を示す図、
【図３】シアンの色相に関して、より広い色再現範囲を得る基本色、特色、墨の組み合わせを明度域ごとに示す図、
【図４】シアンC、グリーンG、ブルーBおよび墨Kの各記録剤の使用量を示す図、
【図５】実施例のプリントシステムの構成例を示すブロック図、
【図６】後段処理が使用する3DLUTの概念を示す図である。
【図１】
2007060151.tif 000003
【図２】
2007060151.tif 000004
【図３】
2007060151.tif 000005
【図４】
2007060151.tif 000006
【図５】
2007060151.tif 000007
【図６】
2007060151.tif 000008